(57)【特許請求の範囲】
【請求項１】
天井裏の梁と梁とに前端部と後端部とを載せて架け渡す箱船の上を床蓋で覆い、その箱船の船底板の下面に大筒を固定し、その大筒の下端と下端にネジ止めする縁枠とで天井板を挟み留め、その箱船の前面板と後面板とのそれぞれに受け板を固着し、それぞれの受け板に甲板を載せて架け渡し、その甲板に固定する第１ブレーキ付きギアモータの出力軸の先にカップリングとベアリングユニットと巻取りドラムとベアリングユニットとを順次に取り付けし、巻取りドラムの真下に位置する甲板と船底板とのそれぞれにベアリングを取り付け、それらベアリングの内径内にパイプシャフトを差し通して固定し、そのパイプシャフトの下端部に不等辺角管の旋回支点部を固着し、巻取りドラムに巻いたロープはパイプシャフトの内径内に下げ、下げたロープを不等辺角管内の旋回支点部と先端部とに固定する外輪溝付きリングそれぞれに架け回して先端部から下げたロープに吊り下げホルダーを付け、その吊り下げホルダーに掛ける装着帯を装着する被介護者が廊下の第１ワイドスイッチを操作し第１ブレーキ付きギアモータを作動させて自身を吊り上げてつま先立ちにし、そこで廊下の第２ワイドスイッチの操作で船底板上に固定する第２ブレーキ付きギアモータの上向き出力軸に直立固定するシャフトの外径に固定する小歯車は回転し、その小歯車とかみ合せる外周に歯を付けた大歯車が回転し、その回転で不等辺角管の先端からロープで吊り下がる被介護者は便所内の便器まで旋回移動し、そこで被介護者は便所内の壁の第２ワイドスイッチの操作で旋回移動を止め、さらに第１ワイドスイッチの操作で便器に着座できるようにした身体移動機。
【発明の詳細な説明】
【技術分野】
【０００１】  便所の天井裏の建築構造体に躯体を固定する事で躯体は大きな強度と安定性とを有し、その躯体に取り付け又は取り外しができる身体移動機は同居する家族の日常生活の邪魔にならない。
【背景技術】
【０００２】  現在、簡易トイレの使用後の局部は被介護者自身又は介護者が拭く必要があり、その不完全な拭く作業が精神的にも体力的にも重労働であり室内にも簡易トイレの臭いが染み付く、現代社会では便所に取り付けできる身体移動機は存在せず、被介護者自身が温風乾燥機能付きのウオシュレットのトイレを使用する為に廊下の車椅子から便所内の便器へ移動できる身体移動機が国内では設置された事がなく、その為介護家族は老人ホームを探す又は介護離職する。
【先行技術文献】
【特許文献】
【０００３】
【特許文献１】特願２００９−１５９２９８
【発明の概要】
【発明が解決しようとする課題】
【０００４】  国が介護保険で９割の費用を適用できる身体移動機を設置する時に増改築や設置手間が発生する製品は介護保険の適用が受けられない為、国内で使用される身体移動リフトは便所等の狭い便所に置く事ができない形状になり過去に便所で使用された前例がない、その為在宅介護をする家族と被介護者とは精神的にも体力的にも負担が大きく、その為老人ホーム等の申請者が増えて老人ホームへの入居の順番を待つ被介護家族は５２万世帯を超え、さらに介護の為に離職する人もいると報道されている。
【課題を解決するための手段】
【０００５】  上記目的を達成するために、便所や寝台等の天井裏の梁と梁とに前端部と後端部とを載せて架け渡す箱船の上を上階の床蓋で覆い、箱船の船底板の下面に大筒を固定し、大筒の下端の内径を塞ぐ天井蓋と大筒の下端とで天井板を挟み留めた。【０００６】  その後老衰で身体移動機を必要とした場合、箱船の上に被せた床蓋を外し、さらに大筒の下端に固定する天井蓋を外して縁枠に取替えし、この縁枠と大筒の下端との間に天井板を挟み留めた。【０００７】  箱船の前面板と後面板とのそれぞれに水平に固着する受け板に甲板を架け渡して固定し、この甲板に固定する第１ブレーキ付きギアモータの出力軸の先にカップリングとベアリングユニットと巻取りドラムとベアリングユニットとを順次に取り付けた。【０００８】  巻取りドラムの真下に位置する甲板とその真下に位置する船底板との双方それぞれにベアリングを取り付けし、それらベアリングそれぞれの内径内にパイプシャフトを差し入れて固定し、このパイプシャフトの下端部に不等辺角管の端部を固着し、その不等辺角管の両端部それぞれに外輪溝付きリングを固定した。【０００９】  巻取りドラムに巻いたロープをパイプシャフトの内径内に下げ、下げたロープをパイプシャフトの内径心に近い不等辺角管内の外輪溝付きリングの溝に架け回し、そのロープを不等辺角管内の先端部の外輪溝付きリングの溝に架け回して下げ、下げたロープの下端に吊り下げホルダーを付け、その吊り下げホルダーに掛ける装着帯を着用する被介護者が廊下の壁に付けた第１ワイドスイッチを操作し作動する第一ブレーキ付きギアモータが巻取りドラムで吊り上げる被介護者を車椅子からつま先立ちの状態にした。【００１０】  甲板と船底板との空間に位置するパイプシャフトの外径に嵌めたパイプの上端に外周に大歯車を固着し、その大歯車にかみ合わせる小歯車は船底板上に固定する第２ブレーキ付きギアモータの上向き出力軸の先に直立させるシャフトに固定し、つま先立ちの被介護者が廊下の第２ワイドスイッチの操作で小歯車を回転させ、回転する小歯車にかみ合せる大歯車を外径に固定するパイプシャフトが回転する事で不等辺角管の先端部から吊り下がる被介護者は狭い廊下から便所内の便器の位置まで旋回移動し、そこで便所内の壁に付けた第２ワイドスイッチを押して旋回移動を停止させ、そこで第１ワイドスイッチの操作で便器に着座できるようにした身体移動機。
【発明の効果】
【００１１】住宅を構成する天井裏の骨組みに身体移動機を取り付け取り外しを容易にする躯体を固定するので家族の日常生活に邪魔にならない、簡易トイレ等で室内に染付く臭いや不完全なふき取りによる局部の肌荒れやオシメ等の介護手間等を減少させて被介護者と介護家族との日常生活をすごしやすくした。
【図面の簡単な説明】
【００１２】
【図１】箱船と大筒との取り付け断面図。
【図２】箱船と大筒との斜視図。
【図３】箱船に取り付けた身体移動機の正面の断面図。
【図４】箱船に取り付けた身体移動機の横断面図。
【図５】便所周りの配置図。
【図６】狭い廊下から便所内に半周移動した正面図。
【発明を実施するための形態】
【００１３】本発明の一実施形態に係る身体移動機を説明する、新築住宅の便所や寝台等の身体移動箇所のピンポイントで天井Ｔ裏の梁Ｋと梁Ｋとに前端部と後端部とを載せて架け渡す箱船Ａの上を床蓋Ｃで覆い、その箱船Ａの船底板ＡＳの下面に大筒ＢをボルトＡＢで固定し、その大筒Ｂの下端ＢＫとその下端ＢＫにボルトＴＢで固定する天井蓋ＢＦＦとの間に天井板Ｔを入れて挟み留めた。
【００１４】その後老衰などで身体移動機を必要とした場合、箱船Ａの上に被せた床蓋Ｃを外し、さらに大筒Ｂの下端ＢＫに固定する天井蓋ＢＦＦを外して縁枠ＢＦに取替えし、この縁枠ＢＦと大筒Ｂの下端ＢＫとの間に天井板Ｔを入れて挟み留めた。
【００１５】箱船Ａの前面板ＡＭと後面板ＡＵとの前後それぞれに受け板ＡＴを水平に固着し、それら前後それぞれの受け棚ＡＴに甲板ＡＡを掛け渡してボルトＡＡＢで固定し、その甲板ＡＡに固定する第１ブレーキ付きギアモータ１Ｍの出力軸１ＭＳの先にカップリングＭＣとベアリングユニットＹと巻取りドラムＤとベアリングユニットＹとを順次に取り付けた。
【００１６】巻取りドラムＤの真下に位置する甲板ＡＡに固着させる外輪ＡＡＷとその真下に位置する船底板ＡＳに固着させる外輪ＡＳＷとのそれぞれの内径内に嵌め入れたベアリングそれぞれの内径内に下からパイプシャフトＰを挿し通し、そのパイプシャフトＰの外径に固定するパイプＰＰとＰＰＰとでパイプシャフトＰを箱船Ａに固定し、そのパイプシャフトＰの下端ＰＫに不等辺角管Ｆの端部を旋回支点として固着し、その不等辺角管Ｆの両端部それぞれには外輪溝付きリング１Ｇと２Ｇとを固定した。
【００１７】巻取りドラムＤに巻いたロープＲはパイプシャフトＰの内径内に下がり、下がるロープＲをパイプシャフトＰの旋回心に近い不等辺角管Ｆ内の外輪溝付きリング１Ｇの溝に架け回し、回したロープＲを不等辺角管Ｆ内の先端部の外輪溝付きリング２Ｇに架け回して下げ、下げたロープＲの下端に吊り下げホルダーＲＨを取り付け、その吊り下げホルダーＲＨに掛ける装着帯Ｚを着用する被介護者が廊下の第１ワイドスイッチＮを操作する事で第１ブレーキ付きギアモータ１Ｍが巻取りドラムＤを回転させて被介護者自身を吊り上げて車椅子Ｗからつま先立ちの状態にした。
【００１８】甲板ＡＡと船底板ＡＳとの空間に位置するパイプシャフトＰの外径に嵌めてボルトＰＰＢで固定するパイプＰＰの上端に外周の２４０度に歯を付けた大歯車ＰＰＨを固着し、その大歯車ＰＰＨにかみ合わせる小歯車ＳＨは船底板ＡＳ上に固定する第２ブレーキ付きギアモータ２Ｍの上に向けた出力軸２ＭＳの先に直立させるシャフトＳに固定させ、廊下の壁の第２ワイドスイッチＪをつま先立ちの被介護者が操作する事で第２ブレーキ付きギアモータ２Ｍに固定する小歯車ＳＨは回転し、回転する小歯車ＳＨとかみ合う大歯車ＰＰＨを外径に固定するパイプシャフトＰとそのパイプシャフトＰの下端ＰＫに旋回支点端部を固定する不等辺角管Ｆの先端から下がるロープＲは旋回し、そのロープＲから吊り下がる被介護者は便器Ｖまでつま先立ちで旋回移動し、そこで被介護者は便所内の壁に付けた第２ワイドスイッチＪの停止ボタンを押して旋回移動を止め、そこで第１ワイドスイッチＮを操作し第１ブレーキ付きギアモータ１Ｍで便器Ｖに着座するようにした身体移動機。
【符号の説明】
【００１９】Ｋ      梁
ＫＫ    構造用合板
Ｔ      天井板
Ｑ      廊下の壁
ＱＢ    便所の壁
Ａ      箱船
ＡＭ    箱船の前面板
ＡＵ    箱船の後面板
ＡＳ    箱船の船底板
ＡＳＷ  船底板に固着させた外輪
ＡＴ    箱船の前面板と後面板とのそれぞれに水平に固着させた受け棚
Ｃ      箱船に被せた床蓋
Ｂ      大筒
ＢＫ    大筒の下端
ＡＢ    船底板と大筒とを固定するボルト
ＢＦＦ  天井蓋
ＢＦ    縁枠
ＴＢ    大筒の下端に縁枠や天井蓋等を取り付けるボルト
１Ｍ    第１ブレーキ付きギアモータ
１ＭＳ  第１ブレーキ付きギアモータの出力軸
ＭＣ    カップリング
Ｙ      ベアリングユニット
Ｄ      巻取りドラム
ＡＡ    甲板
ＡＡＢ  受け棚に甲板を固定するボルト
Ｐ      パイプシャフト
ＰＫ    パイプシャフトの下端部
ＰＰ    パイプシャフトの外径に固定するパイプ
ＰＰＢ  パイプシャフトの外径に固定するパイプの固定に使用するボルト
ＰＰＨ  便所のパイプシャフトに取り付ける場合で外周の２４０度の範囲に歯を付けた大歯車
ＰＨＨ  寝台の天井裏内の躯体内に配置するパイプシャフトに取り付ける場合の大歯車
Ｆ      不等辺角管
１Ｇ    不等辺角管内の旋回支点部に固定する外輪溝付きリング
２Ｇ    不等辺角管内の先端部に固定する外輪溝付きリング
２Ｍ    船底板上に固定する第２ブレーキ付きギアモータ
２ＭＳ  第２ブレーキ付きギアモータの上向きの出力軸
Ｓ      第２ブレーキ付きギアモータの出力軸に直立に固定したシャフト
ＳＢ    シャフトの上端部の甲板に付けたベアリング
ＳＢＷ  シャフト上端部のベアリングの外輪
Ｒ      ロープ
ＲＨ    吊り下げホルダー
Ｚ      装着帯（実願２０１５−５９６４）
Ｖ      便器
Ｗ      車椅子
ＱＤ    幅広の引き戸
Ｎ      第１ブレーキ付きギアモータの第１ワイドスイッチ
Ｊ      第２ブレーキ付きギアモータの第２ワイドスイッチ
【要約】
【課題】国内では便所に身体移動機が設置された事がない。
【解決手段】箱船と大筒とを上下に重ねた躯体を便所の天井裏の建築構造体に組み入れ、その箱船の前面板と後面板との双方に固着した受け板それぞれに甲板を載せて固定し、その甲板に載せた第1ブレーキ付きギアモータの出力軸の先にカップリングとベアリングユニットと巻取りドラムとベアリングユニットとを順次に取り付けし、さらに下端に不等辺角管を固着させたパイプシャフトを躯体に固定し、巻取りドラムのロープを不等辺角管の両端部に固定する外輪溝付きリングそれぞれに架け回して先端部から下げ、下げたロープで吊り下げる被介護者を2台の電動モータで廊下の車椅子から便所内の便器まで旋回移動し立ち座りも自在にした身体移動機。
【選択図】図3【図１】
0005969719.tif 000002
【図２】
0005969719.tif 000003
【図３】
0005969719.tif 000004
【図４】
0005969719.tif 000005
【図５】
0005969719.tif 000006
【図６】
0005969719.tif 000007